(57)【特許請求の範囲】
【請求項１】
（イ）ストッキング本体（ｄ）が、足部（３）、脚部（５）、膝部（６）、口ゴム（７）およびウェルト（８）からなり、
（ロ）上記脚部（５）は、脛の前側すなわち向こう脛に対向することになる前側範囲を、脛前面パッド（ａ）を内包させながら表側編地（５１）と内側編地（５２）の編成を行って、両編地（５１，５２）間に該脛前面パッド（ａ）を、少なくとも一方の編地の編み糸により縫着することにより一体的に装着していること、
（ハ）上記脚部（５）は、脛の後側すなわち脹ら脛に対向することになる後側範囲の編地（５３）の内面または表面に、脛後面パッド（ｂ）を接着剤（９）により一体的に装着していること、
（ニ）上記膝部（６）は、膝の前側すなわち膝頭に対向することになる前側範囲の編地（６１）の内面または表面に、膝頭パッド（ｃ）を接着剤（１０）により一体的に装着していること、
を特徴とするスポーツ用ストッキング。
【請求項２】
上記脛前面パッド（ａ）が、ゴムスポンジまたは合成樹脂スポンジ製の角棒状緩衝材（１１）と合成樹脂製の板状受衝材（１２）を重合接着してなるパッド部体（１３）を複数本、間隔（ｓ）をおいて並べた状態で、その各々の周面および全体の周面を不織布等の通気性被覆材（１４，１５）で被覆接着連結してなり、かつ、その外周には、通気性被覆材（１４，１５）の周縁が重合接着して形成する突縁部（１６）を有し、上記間隔（ｓ）の部分および突縁部（１６）を、少なくとも一方の編地の編み糸により縫着することにより、脚部（５）の両編地（５１，５２）間に一体的に装着していることを特徴とする請求項１記載のスポーツ用ストッキング。
【請求項３】
上記脛後面パッド（ｂ）が、ゴムスポンジまたは合成樹脂スポンジを角棒状または板状に成形した複数本の緩衝材（１７）からなることを特徴とする請求項１または２記載のスポーツ用ストッキング。
【請求項４】
上記膝頭パッド（ｃ）が、ゴムスポンジまたは合成樹脂スポンジ製の大径環状緩衝材（１８）、中径環状緩衝材（１９）、小径環状緩衝材（２０）からなり、編成を終えたストッキング本体（ｄ）の上記膝部（６）の前側範囲の編地（６１）の内面に、大，中および小径環状緩衝材を三重丸を描く状態に配置したことを特徴とする請求項１，２または３記載のスポーツ用ストッキング。
【発明の詳細な説明】
【０００１】
【発明の属する技術分野】
本発明は、スポーツ用ストッキングとその編成方法に関する。
【０００２】
【従来の技術】
各種のスポーツ、例えばサッカーにおいて、競技者の足、特に脛等を保護するためにシンガードまたはレガーズ等と称するプロテクターが使用されている。
そのプロテクターとしては、ベルト等の補助具で足に取り付けるようにしたもの、あるいは、ストッキングに設けたポケットまたは係止具に挿入または係止するようにしたもの、すなわち、着用したストッキングに着脱するもの等各種のタイプが提供されている。
【０００３】
【発明が解決しようとする課題】
しかし、上記いずれのタイプのプロテクターも、ストッキングとは別に製造された別体のものであり、したがって、その使用に当たっては、ストッキングの着用のほかに、補助具による取付けおよび取外し、ストッキングのポケットに対する挿入および取出し、または、係止具に対する係止および取外し、すなわち、着脱が必要になるが、これらは、競技者にとってまことに煩わしいことである。
【０００４】
しかも、元々これらプロテクターの使用は足に違和感を与えるために使用を怠るようなことがあり、実際には、その使用自体を忘れることもある。
また、折角、取り付けたり、挿入したり、係止したりしたプロテクターであっても、競技中にその位置がずれてしまう不都合がある。
加えて、プロテクターは、上記のようにストッキングと別体であるから保管や洗濯を各個に行わなければならないという不便があり、また、両者各別であるためにコスト高になることも避けられない。
【０００５】
本発明スポーツ用ストッキングは、これら諸々の欠点を解消することを目的に提案されたものである。
【０００６】
【課題を解決するための手段】
請求項１記載本発明スポーツ用ストッキングの構成は次のとおりである。
（イ）ストッキング本体ｄが、足部３、脚部５、膝部６、口ゴム７およびウェルト８からなること、
（ロ）上記脚部５は、脛の前側すなわち向こう脛に対向することになる前側範囲を、脛前面パッドａを内包させながら表側編地５１と内側編地５２の編成を行って、両編地５１，５２間に該脛前面パッドａを、少なくとも一方の編地の編み糸により縫着することにより一体的に装着していること、
（ハ）上記脚部５は、脛の後側すなわち脹ら脛に対向することになる後側範囲の編地５３の内面または表面に、脛後面パッドｂを接着剤９により一体的に装着していること、
（ニ）上記膝部６は、膝の前側すなわち膝頭に対向することになる前側範囲の編地６１の内面または表面に、膝頭パッドｃを接着剤１０により一体的に装着していること。
【０００７】
請求項２記載の本発明は、上記脛前面パッドａが、ゴムスポンジまたは合成樹脂スポンジ製の角棒状緩衝材１１と合成樹脂製の板状受衝材１２を重合接着してなるパッド部体１３を複数本、間隔ｓをおいて並べた状態で、その各々の周面および全体の周面を不織布等の通気性被覆材１４，１５で被覆し接着連結してなり、かつ、その外周には、通気性被覆材１４，１５の周縁が重合接着して形成する突縁部１６を有し、上記間隔ｓの部分および突縁部１６を、少なくとも一方の編地の編み糸により縫着することにより、脚部５の両編地５１，５２間に一体的に装着している請求項１記載のスポーツ用ストッキングである。
【０００８】
請求項３記載の本発明は、上記脛後面パッドｂが、ゴムスポンジまたは合成樹脂スポンジを角棒状または板状に成形した複数本の緩衝材１７からなる請求項１または２記載のスポーツ用ストッキングである。
【０００９】
請求項４記載の本発明は、上記膝頭パッドｃが、ゴムスポンジまたは合成樹脂スポンジ製の大径環状緩衝材１８、中径環状緩衝材１９、小径環状緩衝材２０からなり、編成を終えたストッキング本体ｄの上記膝部６の前側範囲の編地６１の内面に、大，中および小径環状緩衝材を三重丸を描く状態に配置した請求項１，２または３記載のスポーツ用ストッキングである。
【００１０】
【発明の実施の形態】
以下には、本発明スポーツ用ストッキングの一実施形態として、脛前面パッドａ、脛後面パッドｂおよび膝頭パッドｃの三者を備えたものについて、添付図面を参照しながら詳しく説明する。
【００１１】
ストッキング本体ｄは、爪先部１と踵部２を有する足部３、この足部３の足首部４に連続する脚部５、該脚部５に連続する膝部６、およびこの膝部６に連続する口ゴム７とウェルト８からなる。
【００１２】
上記脚部５は、脛の前側すなわち向こう脛に対向することになる前側所要範囲を、そこに上記脛前面パッドａを内包させながら表側編地５１と内側編地５２の編成を行って、両編地５１，５２間に該脛前面パッドａを着脱ができない状態すなわち一体的に装着している。
【００１３】
さらに、上記脚部５は、脛の後側すなわち脹ら脛に対向することになる後側所要範囲の編地５３の内面に、上記脛後面パッドｂを適宜の接着剤９により接着固定し、該脛後面パッドｂを着脱ができない状態すなわち一体的に装着している。
【００１４】
上記膝部６は、膝の前側すなわち膝頭に対向することになる前側所要範囲の編地６１の内面に、上記膝頭パッドｃを適宜の接着剤１０により接着固定し、該膝頭パッドｃを着脱ができない状態すなわち一体的に装着している。
【００１５】
上記脛前面パッドａは、ゴムスポンジまたは合成樹脂スポンジ製の角棒状緩衝材１１と合成樹脂製の板状受衝材１２を重合接着してなるパッド部体１３を、複数本所要の間隔ｓをおいて並べた状態で、その各々の周面および全体の周面を不織布等の通気性被覆材１４，１５で被覆し接着連結してなるもので、その外周には、通気性被覆材１４，１５の周縁が重合接着して形成する所要幅員ｗの突縁部１６を有する。
【００１６】
この脛前面パッドａは、ストッキング本体ｄの脚部５の前側所要範囲を形成する表側編地５１と内側編地５２を編成する時、すなわち、二重編地編成時において、その両編地５１，５２の間に所要の手段で支承され、かつ、両編地または少なくとも一方の編地の編み糸により、上記間隔ｓの部分および突縁部１６を縫着することによって、上記のように、脚部５の上記前側所要範囲に着脱ができない状態すなわち一体的に装着されるものである。
【００１７】
上記脛後面パッドｂは、ゴムスポンジまたは合成樹脂スポンジを角棒状または板状に成形した緩衝材１７であって、その所要本数が、所定の編成を終えたストッキング本体ｄの上記脚部５の後側所要範囲の編地５３の内面、すなわち、脹ら脛に対向することになる部分に、適宜の接着剤９または溶着により所要の間隔で固定され、上記のように着脱ができない状態すなわち一体的に装着されるものである。
【００１８】
上記膝頭パッドｃは、ゴムスポンジまたは合成樹脂スポンジ製の大径環状緩衝材１８、中径環状緩衝材１９、小径環状緩衝材２０からなる。
この膝頭パッドｃは、所定の編成を終えたストッキング本体ｄの上記膝部６の前側所要範囲の編地６１の内面、すなわち、膝頭に対向することになる部分に、上記大，中および小径環状緩衝材１８，１９および２０を三重丸を描く状態に配置し、その各々が適宜の接着剤１０または溶着により固定され、上記のように着脱ができない状態すなわち一体的に装着されるものである。
【００１９】
上記構成の本発明スポーツ用ストッキングは、子供用、学生用、成人用等標準的なサイズのものを何種類か用意される。したがって、競技者は、適当なサイズのものを着用すると、それだけで、同時に脛前面パッドａ、脛後面パッドｂおよび膝頭パッドｃの各パッドが足の所定部位に対向位置することになる。
【００２０】
しかも、上記脛前面パッドａはパッド部体１３を複数本、脛後面パッドｂは緩衝材１７を複数本、また、膝頭パッドｃは大，中および小径環状緩衝材１８，１９，２０を、所要の間隔で並べたものであって、例えば合成樹脂板で全一体に成形したものと相違し、足のそれぞれの部分によくフィットし、違和感をほとんど感じさせない。
【００２１】
なお、上記においては、脛前面パッドａを、脚部５の脛の前側すなわち向こう脛に対向することになる前側所要範囲を形成する二重編地、すなわち表側編地５１と内側編地５２に内包すなわち挟持させたが、他に以下のような例のものがある。
【００２２】
例えば、図１０に示すように、脚部５の上記前側所要範囲を一重編地５４とし、その表面に、該脛前面パッドａを適宜の接着剤２１または溶着により固定するとともに、さらにその脛前面パッドａの表面に、別途用意した被覆部材、例えば上記一重編地５４と同じように編成した編地５５を被覆し、縫着、接着または溶着等により固定した例がある。
【００２３】
また、上記脛前面パッドａを構成するパッド部体１３、すなわち、ゴムスポンジまたは合成樹脂スポンジ製の角棒状緩衝材１１と合成樹脂製の板状受衝材１２を重合接着してなるパッド部体１３の複数本を、図１１に示すように、脚部５の上記前側所要範囲を形成する一重編地５６の内面に、所要の間隔をおいて、適宜の接着剤２２または溶着により固定するだけとした例もある。
【００２４】
さらに、上記においては、上記脛後面パッドｂを脚部５の後側所要範囲の編地５３の内面に接着剤９または溶着により固定し、また、上記膝頭パッドｃを膝部６の前側所要範囲の編地６１の内面に接着剤１０または溶着により固定した。
しかし、他に、これら脛後面パッドｂ、膝頭パッドｃを、それぞれの編地５３、編地６１の表面に接着剤または溶着により固定した例もある。
また、上記編地５３および６１のそれぞれを、表側編地と内側編地からなる二重編地とし、そこに脛後面パッドｂおよび膝頭パッドｃを内包、挟持するようにした例もある。
【００２５】
【発明の効果】
以上詳述したところから明らかなとおり、本発明スポーツ用ストッキングによれば次の効果を奏する。
【００２６】
ストッキング本体に、脛前面パッド、脛後面パッドおよび膝頭パッドが、いずれも一体的に装着されているから、競技者は、適当なサイズのものさえ着用すれば、それだけで、当該パッドは足の所定部位に対向位置させることができる。
すなわち、競技者は、従来のようにプロテクターを補助具を使用して取り付けること、ストッキングのポケットに挿入すること、または、ストッキングの係止具に係止すること等の面倒なことをしなくて済み、使用を怠るようなことや忘れて使用しないということもなくなる。
【００２７】
上記脛前面パッド、脛後面パッドおよび膝頭パッドは、ストッキング本体に一体的に適切に装着されるので、足に違和感を与えないし、競技中にその位置がずれてしまうおそれもない。
従来のプロテクターとストッキングとが別体の場合のような、保管や洗濯を各個に行う不便や、コスト高になる不利も解消される。
【００２８】
また、本発明スポーツ用ストッキングは、（イ）ストッキング本体ｄが、足部３、脚部５、膝部６、口ゴム７およびウェルト８からなり、（ロ）上記脚部５が、脛の前側すなわち向こう脛に対向することになる前側範囲を、脛前面パッドａを内包させながら表側編地５１と内側編地５２の編成を行って、両編地５１，５２間に該脛前面パッドａを、少なくとも一方の編地の編み糸により縫着することにより一体的に装着しており、（ハ）上記脚部５が、脛の後側すなわち脹ら脛に対向することになる後側範囲の編地５３の内面または表面に、脛後面パッドｂを接着剤９により一体的に装着しており、また、（ニ）上記膝部６が、膝の前側すなわち膝頭に対向することになる前側範囲の編地６１の内面または表面に、膝頭パッドｃを接着剤１０により一体的に装着しているので、簡単、確実に編成できる。
【図面の簡単な説明】
【図１】本発明の一実施形態に係るスポーツ用ストッキングの斜視図である。
【図２】同上のＩ−Ｉ線端面図である。
【図３】同上のＩＩ−ＩＩ線要部端面図である。
【図４】脛前面パッドの平面図である。
【図５】同上のＩＩＩ−ＩＩＩ線断面図である。
【図６】同上のＩＶ−ＩＶ線断面図である。
【図７】脛前面パッドを構成するパッド部体の斜視図である。
【図８】脛後面パッドである緩衝材の斜視図である。
【図９】膝頭パッドを構成する大、中、小径環状緩衝材の斜視図である。
【図１０】脛前面パッドの取付け状態の変形態様の要部端面図である。
【図１１】同じく脛前面パッドの取付け状態の変形態様の要部端面図である。
【符号の説明】
ａ    脛前面パッド
ｂ    脛後面パッド
ｃ    膝頭パッド
ｄ    ストッキング本体
ｓ    間隔
５    脚部
５３  編地
５５  編地
６１  編地
１１  角棒状緩衝材
１２  板状受衝材
１３  パッド部体
１４  通気性被覆材
１５  通気性被覆材
１６  突縁部
１７  緩衝材
１８  大径環状緩衝材
１９  中径環状緩衝材
２０  小径環状緩衝材
【図１】
0003613633.tif 000002
【図２】
0003613633.tif 000003
【図３】
0003613633.tif 000004
【図４】
0003613633.tif 000005
【図５】
0003613633.tif 000006
【図６】
0003613633.tif 000007
【図７】
0003613633.tif 000008
【図８】
0003613633.tif 000009
【図９】
0003613633.tif 000010
【図１０】
0003613633.tif 000011
【図１１】
0003613633.tif 000012